(57)【特許請求の範囲】
【請求項１】
エンジンの流出口と放熱器の流入口とを連通し、前記エンジンで加熱された熱媒体を前記放熱器へ流入させる高温側管路と、前記エンジンの流入口と前記放熱器の流出口とを連通し、前記放熱器で冷却された熱媒体を前記エンジンへ供給する低温側管路とを有し、車両の車室外に配置されて熱媒体が循環する循環路と、
前記車両の車室内の所定範囲を巡回する中間部と、前記車室内から前記車室外へ延びる両端部とを有し、前記循環路内の熱媒体が流入可能な巡回管路と、
前記巡回管路の両端部を前記高温側管路及び前記低温側管路から遮断し、前記循環路内の熱媒体を前記巡回管路に流入させない基本状態と、前記巡回管路の両端部を前記高温側管路の上流側及び下流側にそれぞれ接続し、前記高温側管路内の加熱された熱媒体を前記巡回管路に流入させて前記中間部から前記高温側管路に戻す高温側接続状態と、前記巡回管路の両端部を前記低温側管路の上流側及び下流側にそれぞれ接続し、前記低温側管路内の冷却された熱媒体を前記巡回管路に流入させて前記中間部から前記低温側管路に戻す低温側接続状態とに選択的に設定可能な流路切替手段と、を備えた
ことを特徴とする車室内の冷暖房システム。
【請求項２】
請求項１に記載の冷暖房システムであって、
前記車両の外部温度に関する車外情報及び前記車室内の温度に関する車内情報のうち少なくとも一方を検知する検知手段と、
前記巡回管路に熱媒体を供給しない供給停止状態と、加熱された熱媒体を供給する熱媒供給状態と、冷却された熱媒体を供給する冷媒供給状態とのうち、何れの状態が前記車室内の温度環境にとって好適であるかを、前記検知手段が検知した情報に基づいて判定する判定手段と、
前記判定手段の判定結果に基づいて前記流路切替手段を制御する制御手段と、を備えた
ことを特徴とする車室内の冷暖房システム。
【請求項３】
請求項２に記載の冷暖房システムであって、
前記検知手段は、日射量を前記車外情報として検出する日射量検出手段と、前記車室内の熱流束を前記車内情報として検出する熱流束検出手段とを有し、
前記判定手段は、前記熱流束検出手段が検出した熱流束が所定の判定閾値以下であるとき、前記供給停止状態が好適であると判定し、前記熱流束検出手段が検出した熱流束が所定の判定閾値を超えており、且つ前記日射量検出手段が検出した日射量が前記判定閾値以下であるとき、前記熱媒供給状態が好適であると判定し、前記熱流束検出手段が検出した熱流束が前記判定閾値を超えており、且つ前記日射量検出手段が検出した日射量が前記判定閾値を超えているとき、前記冷媒供給状態が好適であると判定する
ことを特徴とする車室内の冷暖房システム。
【請求項４】
請求項２に記載の冷暖房システムであって、
前記検知手段は、日射量を前記車外情報として検出する日射量検出手段と、前記車室内の温度を前記車内情報として検出する室温検出手段とを有し、
前記判定手段は、前記日射量検出手段が検出した日射量が所定の判定閾値以下であり、且つ前記室温検出手段が検出した車室内の温度が所定の下限値以上であるとき、又は前記日射量検出手段が検出した日射量が前記判定閾値を超えており、且つ前記室温検出手段が検出した車室内の温度が所定の上限値以下であるとき、前記供給停止状態が好適であると判定し、前記日射量検出手段が検出した日射量が所定の判定閾値以下であり、且つ前記室温検出手段が検出した車室内の温度が所定の下限値未満であるとき、前記熱媒供給状態が好適であると判定し、前記日射量検出手段が検出した日射量が前記判定閾値を超えており、且つ前記室温検出手段が検出した車室内の温度が所定の上限値を超えているとき、前記冷媒供給状態が好適であると判定する
ことを特徴とする車室内の冷暖房システム。
【請求項５】
請求項２〜請求項４の何れか一項に記載の冷暖房システムであって、
前記車室内の第２の所定範囲を巡回する中間部と、前記車室内から前記車室外へ延びる両端部とを有し、前記循環路内の熱媒体が流入可能な第２の巡回管路と、
前記第２の巡回管路の両端部を前記高温側管路及び前記低温側管路から遮断し、前記循環路内の熱媒体を前記循環路から前記第２の巡回管路に流入させない基本状態と、前記第２の巡回管路の両端部を前記低温側管路の上流側及び下流側にそれぞれ接続し、前記低温側管路内の冷却された熱媒体を前記第２の巡回管路に流入させて前記中間部から前記低温側管路に戻す低温側接続状態とに選択的に設定可能な第２の流路切替手段と、を備え、
前記巡回管路の中間部は、前記車室内の床及びシートの少なくとも一方の内部を巡回し、
前記第２の巡回管路の中間部は、前記車室内の天井及びダッシュパネルの少なくとも一方の内部を巡回し、
前記制御手段は、前記判定手段の判定結果に基づいて前記第２の流路切替手段を制御する
ことを特徴とする車室内の冷暖房システム。
【請求項６】
請求項５に記載の冷暖房システムであって、
前記循環路及び前記巡回管路を流通する熱媒体は冷却水であり、
前記制御手段は、前記供給停止状態が好適であると前記判定手段が判定した場合、前記流路切替手段と前記第２の流路切替手段とを前記基本状態に設定し、前記熱媒供給状態が好適であると前記判定手段が判定し、且つ前記エンジンが作動している場合、前記流路切替手段を前記高温側接続状態に、前記第２の流路切替手段を前記基本状態にそれぞれ設定し、前記熱媒供給状態が好適であると前記判定手段が判定し、且つ前記エンジンが停止している場合、前記流路切替手段と前記第２の流路切替手段とを前記基本状態に設定し、前記冷媒供給状態が好適であると前記判定手段が判定し、且つ前記エンジンが作動している場合、前記流路切替手段と前記第２の流路切替手段とを前記冷媒供給状態に設定し、前記冷媒供給状態が好適であると前記判定手段が判定し、且つ前記エンジンが停止している場合、前記流路切替手段を前記基本状態に、前記第２の流路切替手段を前記冷媒供給状態にそれぞれ設定する
ことを特徴とする車室内の冷暖房システム。
【請求項７】
請求項１〜請求項６の何れか１項に記載の冷暖房システムであって、
前記車両に搭載され、太陽光線を電力に変換する太陽電池と、
前記循環路に設けられ、前記太陽電池からの電力供給によって作動して熱媒体を循環させるポンプと、を備え
前記放熱器は、前記太陽電池からの電力供給によって作動して熱媒体を冷却するファンを有する
ことを特徴とする車室内の冷暖房システム。
【発明の詳細な説明】
【技術分野】
【０００１】
本発明は、車室内の冷暖房システムに関する。
【背景技術】
【０００２】
実開平５−５４０１８号公報には、自動車のエンジン冷却水の配管におけるエンジンからラジエータへの還流配管を、熱交換器の一次側に接続し、熱交換器の二次側配管を、ポンプを介して、車室の床面にジグザグに配置された暖房管に接続した自動車用床暖房装置が記載されている。
【０００３】
また、特開２００８−２５４６６５号公報には、車室空間を形成する車室内面に輻射放熱器を設定し、輻射放熱器を設定した面からの輻射熱で暖房する車両用暖房装置が記載されている。
【先行技術文献】
【特許文献】
【０００４】
【特許文献１】実開平５−５４０１８号公報
【特許文献２】特開２００８−２５４６６５号公報
【発明の概要】
【発明が解決しようとする課題】
【０００５】
特許文献１及び２は、何れもエンジンによって過熱された冷却水を熱媒とした暖房装置であり、車室内に配置された熱媒体の巡回管路は、気温の高い夏季などに利用されることはない。
【０００６】
そこで、本発明は、車室内に配置された熱媒体の巡回管路を有効に活用することが可能な車室内の冷暖房システムの提供を目的とする。
【課題を解決するための手段】
【０００７】
上記目的を達成すべく、本発明の第１の態様は、車室内の冷暖房システムであって、循環路と巡回管路と流路切替手段とを備える。
【０００８】
循環路は、エンジンの流出口と放熱器の流入口とを連通し、エンジンで加熱された熱媒体を放熱器へ流入させる高温側管路と、エンジンの流入口と放熱器の流出口とを連通し、放熱器で冷却された熱媒体をエンジンへ供給する低温側管路とを有し、車両の車室外に配置されて熱媒体が循環する。巡回管路は、車両の車室内の所定範囲を巡回する中間部と、車室内から車室外へ延びる両端部とを有し、循環路内の熱媒体が流入可能である。流路切替手段は、基本状態と高温側接続状態と低温側接続状態とに選択的に設定可能である。基本状態では、巡回管路の両端部が高温側管路及び低温側管路から遮断され、循環路内の熱媒体は循環路から巡回管路に流入しない。高温側接続状態では、巡回管路の両端部が高温側管路の上流側及び下流側にそれぞれ接続され、高温側管路内の加熱された熱媒体が巡回管路に流入して中間部から高温側管路に戻る。低温側接続状態では、巡回管路の両端部が低温側管路の上流側及び下流側にそれぞれ接続され、低温側管路内の冷却された熱媒体が巡回管路に流入して中間部から低温側管路に戻る。
【０００９】
上記構成では、流路切替手段が高温側接続状態に設定されると、加熱された熱媒体（熱媒）は、循環路の高温側管路から巡回管路へ流入し、巡回管路を流通して、高温側管路へ戻る。熱媒の巡回によって車室内の所定範囲が加熱されるので、例えば外気温が低下する冬季などに、車室内の温度（室温）を上昇させることや、室温の低下を防止することが可能となり、車室内の温度環境の快適化を図ることができる。
【００１０】
また、流路切替手段が低温側接続状態に設定されると、冷却された熱媒体（冷媒）は、循環路の低温側管路から巡回管路へ流入し、巡回管路を流通して、低温側管路へ戻る。冷媒の巡回によって車室内の所定範囲が冷却されるので、例えば外気温が上昇する夏季などに、室温を低下させることや、室温の上昇を防止することが可能となり、車室内の温度環境の快適化を図ることができる。
【００１１】
このように、車室内に配置された巡回管路を有効に活用して、車室内の暖房と冷房とを行うことができる。
【００１２】
また、流路切替手段が基本状態に設定されると、熱媒体は巡回管路に流入せずに循環路
を循環する。従って、他の冷却対象や加熱対象を冷却又は加熱するための熱媒体の循環路
を利用して、車室内の暖房や冷房を行うことができる。
また、エンジンを冷却するための熱媒体を利用するので、車両全体のエネルギ効率を向上させることができる。
【００１３】
本発明の第２の態様は、上記第１の態様の冷暖房システムであって、検知手段と判定手段と制御手段とを備える。
【００１４】
検知手段は、車両の外部温度に関する車外情報及び前記車室内の温度に関する車内情報のうち少なくとも一方を検知する。判定手段は、巡回管路に熱媒体を供給しない供給停止状態と、加熱された熱媒体を供給する熱媒供給状態と、冷却された熱媒体を供給する冷媒供給状態とのうち、何れの状態が車室内の温度環境にとって好適であるかを、検知手段が検知した情報に基づいて判定する。制御手段は、判定手段の判定結果に基づいて流路切替手段を制御する。
【００１５】
上記構成では、供給停止状態と熱媒供給状態と冷媒供給状態とのうち何れの状態が車室内の温度環境にとって好適であるかを判定手段が判定し、その判定結果に基づいて制御手段が流路切替手段を制御するので、車両の乗員は、煩雑な入力操作を行うことなく、車室内の温度環境の快適化を図ることができる。
【００１６】
本発明の第３の態様は、上記第２の態様の冷暖房システムであって、検知手段は、日射量を車外情報として検出する日射量検出手段と、車室内の熱流束を車内情報として検出する熱流束検出手段とを有する。判定手段は、熱流束検出手段が検出した熱流束が所定の判定閾値以下であるとき、供給停止状態が好適であると判定する。判定手段は、熱流束検出手段が検出した熱流束が所定の判定閾値を超えており、且つ日射量検出手段が検出した日射量が判定閾値以下であるとき、熱媒供給状態が好適であると判定する。また、判定手段は、熱流束検出手段が検出した熱流束が判定閾値を超えており、且つ日射量検出手段が検出した日射量が判定閾値を超えているとき、冷媒供給状態が好適であると判定する。
【００１７】
上記構成では、車両が車室内に温風や冷風を供給する空調装置を備えており、例えば、外気温が低く日射量が判定閾値以下となる冬季に、車室内の温度が低下した状態で運転者が車両を始動し、空調装置による車室内への温風の供給を開始すると、車室内の熱流束が増大する。日射量検出手段が検出する日射量は判定閾値以下であるため、熱流束検出手段が検出する熱流束が判定閾値を超えると、判定手段は熱媒供給状態が好適であると判定する。制御手段は、判定手段の判定結果に基づいて流路切替手段を制御し、流路切替手段が高温側接続状態に設定されると、熱媒が巡回管路を巡回し、車室内の所定範囲が加熱される。
【００１８】
また、例えば、外気温が高く日射量が判定閾値を超える夏季に、車室内の温度が上昇した状態で運転者が車両を始動し、空調装置による車室内への冷風の供給を開始すると、車室内の熱流束が増大する。日射量検出手段が検出する日射量は判定閾値を超えているため、熱流束検出手段が検出する熱流束が判定閾値を超えると、判定手段は冷媒供給状態が好適であると判定する。また、運転者が車両を停車させ、空調装置による車室内への冷風の供給を停止し、外気温から受ける温度負荷によって車室内の温度が上昇し、熱流束検出手段が検出する熱流束が判定閾値を超えた場合にも、判定手段は冷媒供給状態が好適であると判定する。制御手段は、判定手段の判定結果に基づいて流路切替手段を制御し、流路切替手段が低温側接続状態に設定されると、冷媒が巡回管路を巡回し、車室内の所定範囲が冷却される。
【００１９】
本発明の第４の態様は、上記第２の態様の冷暖房システムであって、検知手段は、日射量を車外情報として検出する日射量検出手段と、車室内の温度を車内情報として検出する室温検出手段とを有する。判定手段は、日射量検出手段が検出した日射量が所定の判定閾値以下であり、且つ室温検出手段が検出した車室内の温度が所定の下限値以上であるとき、又は日射量検出手段が検出した日射量が判定閾値を超えており、且つ室温検出手段が検出した車室内の温度が所定の上限値以下であるとき、供給停止状態であると判定する。判定手段は、日射量検出手段が検出した日射量が所定の判定閾値以下であり、且つ室温検出手段が検出した車室内の温度が所定の下限値未満であるとき、熱媒供給状態であると判定する。また、判定手段は、日射量検出手段が検出した日射量が判定閾値を超えており、且つ室温検出手段が検出した車室内の温度が所定の上限値を超えているとき、冷媒供給状態であると判定する。
【００２０】
上記構成では、例えば、外気温が低く日射量が判定閾値以下となる冬季に、車室内の温度が下限値よりも低下した状態で運転者が車両を始動すると、日射量検出手段が検出する日射量は判定閾値以下であり、室温検出手段が検出する車室内の温度は下限値よりも低下しているため、判定手段は熱媒供給状態が好適であると判定する。制御手段は、判定手段の判定結果に基づいて流路切替手段を制御し、流路切替手段が高温側接続状態に設定されると、熱媒が巡回管路を巡回し、車室内の所定範囲が加熱される。
【００２１】
また、例えば、外気温が高く日射量が判定閾値を超える夏季に、車室内の温度が上限値よりも上昇した状態で運転者が車両を始動すると、日射量検出手段が検出する日射量は判定閾値を超えており、室温検出手段が検出する車室内の温度は上限値を超えているため、判定手段は冷媒供給状態が好適であると判定する。また、運転者が車両を停車させ、外気温から受ける温度負荷によって車室内の温度が上限値よりも上昇した場合にも、判定手段は冷媒供給状態が好適であると判定する。制御手段は、判定手段の判定結果に基づいて流路切替手段を制御し、流路切替手段が低温側接続状態に設定されると、冷媒が巡回管路を巡回し、車室内の所定範囲が冷却される。
【００２２】
本発明の第５の態様は、上記第２〜第４の態様の何れかの冷暖房システムであって、第２の巡回管路と第２の流路切替手段とを備える。
【００２３】
第２の巡回管路は、車室内の第２の所定範囲を巡回する中間部と、車室内から車室外へ延びる両端部とを有し、循環路内の熱媒体が流入可能である。第２の流路切替手段は、基本状態と低温側接続状態とに選択的に設定可能である。基本状態では、第２の巡回管路の両端部が高温側管路及び低温側管路から遮断され、循環路内の熱媒体は第２の巡回管路に流入しない。低温側接続状態では、第２の巡回管路の両端部が低温側管路の上流側及び下流側にそれぞれ接続され、低温側管路内の冷却された熱媒体が第２の巡回管路に流入して中間部から低温側管路に戻る。
【００２４】
巡回管路の中間部は、車室内の床及びシートの少なくとも一方の内部を巡回する。第２の巡回管路の中間部は、車室内の天井及びダッシュパネルの少なくとも一方の内部を巡回する。制御手段は、判定手段の判定結果に基づいて第２の流路切替手段を制御する。
【００２５】
上記構成では、車室内の床及びシートの少なくとも一方の内部には、熱媒と冷媒とが適宜巡回し、天井及びダッシュパネルの少なくとも一方の内部には、冷媒が適宜巡回する。このように、乗員にとって好適な場所を熱媒及び冷媒が適宜巡回するので、車室内の温度環境をさらに快適化することができる。
【００２６】
本発明の第６の態様は、上記第５の態様の冷暖房システムであって、循環路の高温側管路は、エンジンを冷却することによって加熱された熱媒体としての冷却水を放熱器へ流入する。循環路の低温側管路は、放熱器によって冷却された冷却水をエンジンへ供給する。
【００２７】
制御手段は、供給停止状態が好適である判定手段が判定した場合、流路切替手段と第２の流路切替手段とを基本状態に設定する。制御手段は、熱媒供給状態が好適であると判定手段が判定し、且つエンジンが作動している場合、流路切替手段を高温側接続状態に設定し、第２の流路切替手段を基本状態に設定する。制御手段は、熱媒供給状態が好適であると判定手段が判定し、且つエンジンが停止している場合、流路切替手段と第２の流路切替手段とを基本状態に設定する。制御手段は、冷媒供給状態が好適であると判定手段が判定し、且つエンジンが作動している場合、流路切替手段と第２の流路切替手段とを冷媒供給状態に設定する。また、制御手段は、冷媒供給状態が好適であると判定手段が判定し、且つエンジンが停止している場合、流路切替手段を基本状態に設定し、第２の流路切替手段を冷媒供給状態に設定する。
【００２８】
上記構成では、エンジンを冷却するための冷却水を熱媒体として利用するので、車両全体のエネルギ効率を向上させることができる。
【００２９】
また、熱媒供給状態が好適であると判定手段が判定した場合において、エンジンが作動しているときには、巡回管路への熱媒の供給が可能であるため、制御手段は、流路切替手段を高温側接続状態に設定し、巡回管路に熱媒を巡回させる。一方、エンジンが停止しているときには、熱媒を供給できない状態であるため、巡回管路に熱媒体を巡回させない。
【００３０】
また、冷媒供給状態が好適であると判定手段が判定した場合において、エンジンが作動しているときには、乗員が車室内に存在している可能性が高いため、制御手段は、流路切替手段及び第２の流路切替手段を低温側接続状態に設定し、巡回管路及び第２の巡回管路に冷媒を巡回させる。一方、エンジンが停止しているときには、乗員が車室内に存在している可能性が低く、冷却水の循環及び冷却に消費されるエネルギを抑制することが好ましいため、第２の流路切替手段を冷媒供給状態に設定し、第２の巡回管路のみに冷媒を巡回させる。
【００３１】
このように、エンジンの作動又は停止に応じて熱媒や冷媒の巡回状態を変更するので、車両全体のエネルギ効率をさらに向上させるとともに、車室内の温度環境をさらに快適化することができる。
【００３２】
本発明の第７の態様は、上記第１〜第６の何れかの態様の冷暖房システムであって、太陽電池とポンプとを備える。
【００３３】
太陽電池は、車両に搭載され、太陽光線を電力に変換する。ポンプは、循環路に設けられ、太陽電池からの電力供給によって作動して熱媒体を循環させる。放熱器は、太陽電池からの電力供給によって作動して熱媒体を冷却するファンを有する。
【００３４】
上記構成では、熱媒体の循環や冷却が太陽電池からの電力供給によって行われるので、車両全体のエネルギ効率をさらに向上させることができる。
【００３５】
また、熱媒体の循環や冷却を車両に搭載されたバッテリからの電力供給によって行う場合、車両の停車中において、バッテリの充電量の低下によって熱媒体の循環や冷却が行われない可能性があるが、上記構成では、車両の停車中であっても、太陽電池からの電力供給が確保されている限り、熱媒体の循環や冷却を継続して行うことができる。
【発明の効果】
【００３６】
本発明によれば、車室内に配置された巡回管路を有効に活用して、車室内の暖房と冷房とを行うことができる。
【図面の簡単な説明】
【００３７】
【図１】本発明の第１実施形態の冷暖房システムを模式的に示す概略構成図である。
【図２】バルブユニットの全てのバルブが基本状態に設定されている場合の概略構成図である。
【図３】バルブユニットの第１バルブが高温側接続状態に設定され、第２バルブ及び第３バルブが基本状態に設定されている場合の概略構成図である。
【図４】バルブユニットの全てのバルブが低温側接続状態に設定されている場合の概略構成図である。
【図５】バルブユニットの第１バルブが基本状態に設定され、第２バルブ及び第３バルブが低温側接続状態に設定されている場合の概略構成図である。
【図６】第１実施形態のバルブ制御処理を示すフローチャートである。
【図７】第２実施形態のバルブ制御処理を示すフローチャートである。
【発明を実施するための形態】
【００３８】
以下、本発明の一実施形態の冷暖房システムについて、図面を参照して説明する。本実施形態の冷暖房システムは、トラックなどの車両１に搭載され、キャブ２の車室３内の暖房及び冷房を行う。なお、車両１には、本実施形態の冷暖房システムの他に、車室３内に温風や冷風を供給する空調装置（図示省略）を備えている。
【００３９】
図１に示すように、冷暖房システムは、循環路４と、床・シート配管（巡回管路）５と、天井配管（第２の巡回管路）６と、ダッシュパネル配管（第２の巡回管路）７と、バルブユニット８と、ＥＣＵ（Electric Control Unit）９と、日射量センサ（検知手段、日射量検出手段）１７と、熱流束センサ（検知手段、熱流束検出手段）１８と、太陽電池１９とを備える。
【００４０】
車両１のエンジン１０には、冷却水（熱媒体）の巡回流路（図示省略）が設けられ、車両１の前端部には、エンジン１０によって昇温された冷却水を空冷するラジエータ（放熱器）１１が設けられている。ラジエータ１１は、冷却水を冷却するファン１２を有する。
【００４１】
循環路４は、高温側管路２０と低温側管路２１とを有し、車両１の車室３の外部下方に配置されている。高温側管路２０は、エンジン１０の巡回流路の流出口１３とラジエータ１１の流入口１４とを連通する。低温側管路２１は、エンジン１０の巡回流路の流入口１５とラジエータ１１の流出口１６とを連通する。低温側管路２１には、冷却水を循環させる電動ポンプ２２が設けられている。電動ポンプ２２は、エンジン１０を冷却することによって加熱された冷却水（熱媒）を、高温側管路２０を介してラジエータ１１へ流入させ、ラジエータ１１によって冷却された冷却水（冷媒）を、低温側管路２１を介してエンジン１０へ供給する。このように、循環路４は、エンジン１０によって加熱された冷却水を回収し、ラジエータ１１によって冷却した後、エンジン１０へ循環供給する。なお、電動ポンプ２２は、高温側管路２０に設けてもよい。
【００４２】
床・シート配管５は、車室３の下方を区画する床（床パネル）２３の内部を巡回し、床２３に載置されたシート２４の座部２４ａ及び背部２４ｂの内部を巡回する中間部５ａと、車室３の外部下方へ延びる両端部５ｂとを有する。なお、床・シート配管５を、床配管とシート配管とに分けて設けてもよい。
【００４３】
天井配管６は、車室３の上方を区画する天井（天井パネル）２５の内部を巡回する中間部６ａと、床２３を挿通して車室３の外部下方へ延びる両端部６ｂとを有する。
【００４４】
ダッシュパネル配管７は、車室３の前部に配置されたダッシュパネル２６の内部を巡回する中間部７ａと、床２３を挿通して車室３の外部下方へ延びる両端部７ｂとを有する。なお、天井配管６とダッシュパネル配管７とを、床・シート配管５のように連続的に設けてもよい。
【００４５】
バルブユニット８は、第１バルブ（流路切替手段）３０と第２バルブ（第２の流路切替手段）３１と第３バルブ（第２の流路切替手段）３２とを有し、高温側管路２０と低温側管路２１との双方に跨るように設けられている。
【００４６】
第１バルブ３０は、基本状態と高温側接続状態と低温側接続状態とに選択的に設定される。基本状態では、図２及び図５に示すように、床・シート配管５の両端部５ｂが高温側管路２０及び低温側管路２１から遮断され、冷却水は循環路４から床・シート配管５に流入しない。高温側接続状態では、図３に示すように、床・シート配管５の両端部５ｂは、低温側管路２１には接続されず、高温側管路２０の上流側及び下流側にそれぞれ接続される。これにより、加熱された冷却水（熱媒）は、高温側管路２０から床・シート配管５へ流入し、中間部５ａを流通した後、高温側管路２０へ戻る。低温側接続状態では、図４に示すように、床・シート配管５の両端部５ｂは、高温側管路２０には接続されず、低温側管路２１の上流側及び下流側にそれぞれ接続される。これにより、冷却された冷却水（冷媒）は、低温側管路２１から床・シート配管５へ流入し、中間部５ａを流通した後、低温側管路２１へ戻る。高温側接続状態と低温側接続状態とでは、床・シート配管５内の冷却水の流通方向が逆転する。
【００４７】
第２バルブ３１は、基本状態と低温側接続状態とに選択的に設定される。基本状態では、図２及び図３に示すように、天井配管６の両端部６ｂが高温側管路２０及び低温側管路２１から遮断され、冷却水は循環路４から天井配管６に流入しない。低温側接続状態では、図４及び図５に示すように、天井配管６の両端部６ｂは、高温側管路２０には接続されず、低温側管路２１の上流側及び下流側にそれぞれ接続される。これにより、冷却された冷却水（冷媒）は、低温側管路２１から天井配管６へ流入し、中間部６ａを流通した後、低温側管路２１へ戻る。
【００４８】
第３バルブ３２は、接続対象がダッシュパネル配管７であることを除き、第２バルブ３１と同様に構成されている。すなわち、基本状態では、図２及び図３に示すように、ダッシュパネル配管７の両端部７ｂが高温側管路２０及び低温側管路２１から遮断され、冷却水は循環路４からダッシュパネル配管７に流入しない。低温側接続状態では、図４及び図５に示すように、ダッシュパネル配管７の両端部７ｂは、高温側管路２０には接続されず、低温側管路２１の上流側及び下流側にそれぞれ接続される。これにより、冷却された冷却水（冷媒）は、低温側管路２１からダッシュパネル配管７へ流入し、中間部７ａを流通した後、低温側管路２１へ戻る。
【００４９】
日射量センサ１７は、車両１のうち太陽光線が照射される部分（本実施形態では、天井２５の上面）に固定され、日射量を車外情報として逐次検出してＥＣＵ９へ出力する。
【００５０】
熱流束センサ１８は、車室３内の所定位置に固定され、車室３内の熱流束を車内情報として逐次検出してＥＣＵ９へ出力する。
【００５１】
ＥＣＵ９は、ＣＰＵ（Central Processing Unit）３３とＲＯＭ(Read Only Memory)３４とＲＡＭ(Random Access Memory)３５とを備える。
【００５２】
ＣＰＵ３３は、ＲＯＭ３４に格納されたバルブ制御プログラムを読み出して後述するバルブ制御処理を実行することにより、判定手段及び制御手段として機能する。バルブ制御プログラムは、後述する熱流束の判定閾値と日射量の判定閾値とを含む。なお、これらの判定閾値は、バルブ制御プログラムとは別にＲＯＭ３４やＲＡＭ３５に記憶されてもよい。また、ＣＰＵ３３は、バッテリ（図示省略）からの電力供給を受けて、バルブ制御処理を実行する。
【００５３】
ＲＡＭ３５には、日射量センサ１７が検出した日射量と、熱流束センサ１８が検出した熱流束とをそれぞれ記憶する記憶領域が設定されている。日射量センサ１７が検出した日射量や熱流束センサ１８が検出した熱流束がＥＣＵ９に入力すると、ＣＰＵ３３は、入力した日射量や熱流束をＲＡＭ３５に更新して記憶する。なお、熱流束センサ１８が正負を伴う値として熱流束を検出する場合、ＥＣＵ９は、熱流束センサ１８の検出値の絶対値を熱流束としてＲＡＭ３５に記憶する。また、以下の説明において、特に説明がない限り、ＲＡＭ３５に記憶された最新の日射量を単に日射量と称し、ＲＡＭ３５に記憶された最新の熱流束を単に熱流束と称する。
【００５４】
ＥＣＵ９は、例えばイグニッションスイッチ（図示省略）からの信号を受信することによって、エンジン１０が作動しているか停止しているかを検知する。
【００５５】
また、ＥＣＵ９は、エンジン１０が作動しているときは、エンジン１０の冷却に要求される所定量の冷却水が循環するように電動モータ２２の出力を制御し、エンジン１０が停止しているときは、電動モータ２２の出力を低下させて、冷却水の循環量（単位時間当たりの流量）を低減する。
【００５６】
バルブ制御処理において、ＥＣＵ９（ＣＰＵ３０）は、床・シート配管５に対して、冷却水を供給しない供給停止状態と、加熱された冷却水を供給する熱媒供給状態と、冷却された冷却水を供給する冷媒供給状態とのうち、何れの状態が車室３内の温度環境にとって好適であるかを、日射量と熱流束とに基づいて判定する。また、天井配管６及びダッシュパネル配管７のそれぞれに対して、冷却水を供給しない供給停止状態と、冷却された冷却水を供給する冷媒供給状態とのうち、何れの状態が車室３内の温度環境にとって好適であるかを、日射量と熱流束とに基づいて判定する。
【００５７】
具体的には、床・シート配管５に対しては、熱流束が判定閾値以下であるとき、供給停止状態が好適であると判定する。熱流束が判定閾値を超えており、且つ日射量が判定閾値以下であるとき、熱媒供給状態であると判定する。また、熱流束が判定閾値を超えており、且つ日射量が判定閾値を超えているとき、冷媒供給状態であると判定する。
【００５８】
天井配管６及びダッシュパネル配管７に対しては、熱流束が判定閾値以下であるとき、及び熱流束が判定閾値を超えており、且つ日射量が判定閾値以下であるとき、供給停止状態が好適であると判定する。また、熱流束が判定閾値を超えており、且つ日射量が判定閾値を超えているとき、冷媒供給状態であると判定する。
【００５９】
ＥＣＵ９（ＣＰＵ３０）は、上記判定結果とエンジン１０の作動状態とに基づいて、バルブユニット８（第１バルブ３０、第２バルブ３１及び第３バルブ３２）を制御する。
【００６０】
具体的には、ＥＣＵ９は、供給停止状態が好適であると判定した場合、エンジン１０の作動状態に拘わらず、第１バルブ３０と第２バルブ３１と第３バルブ３２とを基本状態に設定する。熱媒供給状態が好適であると判定した場合において、エンジン１０が作動しているときは、第１バルブ３０を高温側接続状態に設定し、第２バルブ３１及び第３バルブ３２を基本状態に設定する。熱媒供給状態が好適であると判定した場合において、エンジン１０が停止しているときは、第１バルブ３０と第２バルブ３１と第３バルブ３２とを基本状態に設定する。冷媒供給状態が好適であると判定した場合において、エンジン１０が作動しているときは、第１バルブ３０と第２バルブ３１と第３バルブ３２とを冷媒供給状態に設定する。冷媒供給状態が好適であると判定した場合において、エンジン１０が停止しているときは、第１バルブ３０を基本状態に設定し、第２バルブ３１と第３バルブ３２とを冷媒供給状態に設定する。
【００６１】
太陽電池１９は、車両１のうち太陽光線が照射される部分（本実施形態では、天井２５の上面）に固定されている。太陽電池１９は、太陽光線を電力に変換し、電動ポンプ２２とファン１２のモータ（図示省略）とに電力を供給する。電動ポンプ２２とファン１２とは、太陽電池１９から十分な電力が供給されている場合には、太陽電池からの電力供給によって作動する。なお、太陽電池１９からの電力供給が不十分である場合には、バッテリからの電力供給によって必要な電力が補完される。また、太陽電池１９からの供給電力が電動ポンプ２２及びファン１２の消費電力を超えている場合、その余剰電力はバッテリに充電される。
【００６２】
次に、ＥＣＵ９が実行するバルブ制御処理について、図６のフローチャートを参照して説明する。バルブ制御処理は、エンジン１０の作動状態に拘わらず、所定時間毎に常時繰り返して実行される。
【００６３】
本処理が開始されると、熱流束が規定値（判定閾値）を超えているか否かを判定する（ステップＳ１）。熱流束が規定値以下である場合（ステップＳ１：ＮＯ）、第１バルブ３０と第２バルブ３１と第３バルブ３２とを基本状態に設定し、全ての配管５，６，７に対する冷却水の供給を停止して（ステップＳ２）、本処理を終了する。
【００６４】
熱流束が規定値を超えている場合（ステップＳ１：ＹＥＳ）、日射量が規定値（判定閾値）を超えているか否かを判定する（ステップＳ３）。
【００６５】
日射量が規定値以下である場合（ステップＳ３：ＮＯ）、エンジン１０が作動しているか否かを判定する（ステップＳ４）。エンジン１０が停止している場合には（ステップＳ４：ＮＯ）、全ての配管５，６，７に対する冷却水の供給を停止して（ステップＳ２）、本処理を終了する。エンジン１０が作動している場合には（ステップＳ４：ＹＥＳ）、第１バルブ３０を高温側接続状態に設定し、且つ第２バルブ３１及び第３バルブ３２を基本状態に設定して、床２３とシート２４とに加熱された冷却水（熱媒）を供給し（ステップＳ５）、本処理を終了する。
【００６６】
また、日射量が規定値を超えている場合も（ステップＳ３：ＹＥＳ）、エンジン１０が作動しているか否かを判定する（ステップＳ６）。エンジン１０が停止している場合には（ステップＳ６：ＮＯ）、第１バルブ３０を基本状態に設定し、第２バルブ３１と第３バルブ３２とを低温側接続状態に設定して、天井２５とダッシュパネル２６とに冷却された冷却水（冷媒）を供給し（ステップＳ７）、本処理を終了する。エンジン１０が作動している場合には（ステップＳ６：ＹＥＳ）、第１バルブ３０と第２バルブ３１と第３バルブ３２とを低温側接続状態に設定し、天井２５とダッシュパネル２６と床２３とシート２４とに冷却された冷却水（冷媒）を供給し（ステップＳ８）、本処理を終了する。
【００６７】
例えば、外気温が低く日射量が規定値以下となる冬季に、車室３内の温度が低下した状態で運転者が車両１を始動し（エンジン１０を作動し）、空調装置による車室３内への温風の供給を開始すると、車室３内の熱流束が増大する。日射量は規定値以下であるため、熱流束が規定値を超えると、ＥＣＵ９の判定処理は、ステップＳ１→Ｓ３→Ｓ４→Ｓ５と移行する。これにより、床・シート配管５を熱媒が巡回し、床２３及びシート２４が熱媒によって温められる。なお、暖房効果によって車室３内の温度が安定し、熱流束が規定値以下となった場合や、エンジン１０を停止した場合には、全ての配管５，６，７に対する冷却水の供給が停止される（ステップＳ２）。
【００６８】
一方、外気温が高く日射量が規定値を超える夏季に、車室３内の温度が上昇した状態で運転者が車両１を始動し（エンジン１０を作動し）、空調装置による車室内への冷風の供給を開始すると、車室３内の熱流束が増大する。日射量は規定値を超えているため、熱流束が規定値を超えると、ＥＣＵ９の判定処理は、ステップＳ１→Ｓ３→Ｓ６→Ｓ８と移行する。これにより、床・シート配管５、天井配管６及びダッシュパネル配管７を冷媒が巡回し、床２３、シート２４、天井２５及びダッシュパネル２６が冷媒によって冷却される。
【００６９】
また、外気温が高く日射量が規定値を超える夏季の日中に、運転者が野外に車両１を駐車する場合（エンジン１０を停止して、空調装置による車室内への冷風の供給を停止する場合）において、外気温から受ける温度負荷によって車室３内の温度が上昇して熱流束が規定値を超えると、ＥＣＵ９の判定処理は、ステップＳ１→Ｓ３→Ｓ６→Ｓ７と移行する。これにより、天井配管６及びダッシュパネル配管７を冷媒が巡回し、天井２５及びダッシュパネル２６が冷媒によって冷却される。なお、冷房効果によって車室３内の温度が安定し、熱流束が規定値以下となった場合には、全ての配管５，６，７に対する冷却水の供給が停止される（ステップＳ２）。
【００７０】
以上説明したように、本実施形態によれば、第１バルブ３０が高温側接続状態に設定されると、加熱された冷却水は、循環路４の高温側管路２０から床・シート配管５へ流入し、中間部５ａを流通して、高温側管路２０へ戻る。熱媒の巡回によって車室３内の床２３やシート２４が温められるので、例えば外気温が低下する冬季などに、室温を上昇させることや、室温の低下を防止することが可能となり、車室３内の温度環境の快適化を図ることができる。
【００７１】
第１バルブ３０、第２バルブ３１及び第３バルブ３２がそれぞれ低温側接続状態に設定されると、冷却された冷却水（冷媒）は、循環路４の低温側管路２１から床・シート配管５、天井配管６及びダッシュパネル配管７へ流入し、中間部５ａ、６ａ、７ａを流通して、低温側管路２１へ戻る。冷媒の巡回によって車室３内の床２３、シート２４、天井２５及びダッシュパネル２６が冷却されるので、例えば外気温が上昇する夏季などに、室温を低下させることや、室温の上昇を防止することが可能となり、車室３内の温度環境の快適化を図ることができる。
【００７２】
従って、車室３内に配置された配管５，６，７を有効に活用し、乗員にとって好適な場所に熱媒及び冷媒を適宜巡回させて、車室３内の暖房と冷房とを行うことができる。
【００７３】
バルブ３０，３１，３２が基本状態に設定されると、冷却水は配管５，６，７に流入せずに循環路４を循環する。すなわち、エンジン１０を冷却するための冷却水の循環路４を利用して、車室３内の暖房や冷房を行うことができる。また、エンジン１０を冷却するための冷却水を熱媒体として利用するので、車両１全体のエネルギ効率を向上させることができる。
【００７４】
ＥＣＵ９は、日射量センサ１７が検出する日射量と熱流束センサ１８が検出する熱流束とに基づいて、供給停止状態と熱媒供給状態と冷媒供給状態とのうち何れの状態が車室３内の温度環境にとって好適であるかを判定し、その判定結果に基づいて、バルブユニット８を制御するので、車両１の乗員は、煩雑な入力操作を行うことなく、車室３内の温度環境の快適化を図ることができる。
【００７５】
熱媒供給状態が好適であると判定された場合において、エンジン１０が作動しているときには、床・シート配管５への熱媒の供給が可能であるため、ＥＣＵ９は、第１バルブ３０を高温側接続状態に設定し、床・シート配管５に熱媒を巡回させる。一方、エンジン１０が停止しているときには、熱媒を供給できない状態であるため、ＥＣＵ９は、第１バルブ３０を基本状態に設定し、床・シート配管５に冷却水を巡回させない。
【００７６】
冷媒供給状態が好適であると判定された場合において、エンジン１０が作動しているときには、乗員が車室３内に存在している可能性が高いため、ＥＣＵ９は、第１バルブ３０、第２バルブ３１及び第３バルブ３２を低温側接続状態に設定し、配管５，６，７に冷媒を巡回させる。一方、エンジン１０が停止しているときには、乗員が車室内に存在している可能性が低く、冷却水の循環及び冷却に消費されるエネルギを抑制することが好ましいため、ＥＣＵ９は、第１バルブ３０を基本状態に設定し、第２バルブ３１及び第３バルブ３２を冷媒供給状態に設定して、配管６，７のみに冷媒を巡回させる。
【００７７】
このように、エンジン１０の作動状態に応じて熱媒や冷媒の巡回状態を変更するので、電動ポンプ２２の負荷を低減して車両１全体のエネルギ効率をさらに向上させるとともに、車室３内の温度環境をさらに快適化することができる。
【００７８】
冷却水の循環及び冷却を、太陽電池１９からの電力供給によって行うので、車両１全体のエネルギ効率をさらに向上させることができる。
【００７９】
また、冷却水の循環及び冷却を、車両１に搭載されたバッテリからの電力供給のみによって行う場合、車両１の停車中において、バッテリの充電量の低下によって冷却水の循環や冷却が行われない可能性があるが、本実施形態では、車両１の停車中（エンジン１０の停止中）であっても、太陽電池１９からの電力供給が確保されている限り、冷却水の循環や冷却を継続して行うことができる。
【００８０】
次に、本発明の第２実施形態について説明する。
【００８１】
本実施形態は、図１に示すように、第１実施形態の熱流束センサ１８を温度センサ（室温検出手段）４０に置き換えたものであり、第１実施形態と同様の構成については、同一の符号を付して説明を省略する。
【００８２】
温度センサ４０は、車室３内の所定位置に固定され、車室３内の温度（室温）を車内情報として逐次検出してＥＣＵ９へ出力する。
【００８３】
ＲＯＭ３４に格納されたバルブ制御プログラムは、後述する室温の上限値及び下限値と日射量の判定閾値とを含む。なお、これらの値は、バルブ制御プログラムとは別にＲＯＭ３４やＲＡＭ３５に記憶されてもよい。
【００８４】
ＲＡＭ３５には、日射量センサ１７が検出した日射量と、温度センサ４０が検出した室温とをそれぞれ記憶する記憶領域が設定されている。日射量センサ１７が検出した日射量や温度センサ４０が検出した室温がＥＣＵ９に入力すると、ＣＰＵ３３は、入力した日射量や室温をＲＡＭ３５に更新して記憶する。なお、以下の説明において、特に説明がない限り、ＲＡＭ３５に記憶された最新の日射量を単に日射量と称し、ＲＡＭ３５に記憶された最新の熱流束を単に熱流束と称する。
【００８５】
バルブ制御処理において、ＥＣＵ９は、床・シート配管５に対しては、日射量が判定閾値以下であり、且つ室温が下限値以上であるとき、又は日射量が判定閾値を超えており、且つ室温が上限値以下であるとき、供給停止状態であると判定する。日射量が判定閾値以下であり、且つ室温が下限値未満であるとき、熱媒供給状態であると判定する。また、日射量が判定閾値を超えており、且つ室温が上限値を超えているとき、冷媒供給状態であると判定する。
【００８６】
天井配管６及びダッシュパネル配管７に対しては、日射量が判定閾値以下であるとき、又は日射量が判定閾値を超えており、且つ室温が上限値以下であるとき、供給停止状態であると判定する。また、日射量が判定閾値を超えており、室温が上限値を超えているとき、冷媒供給状態であると判定する。
【００８７】
ＥＣＵ９は、上記判定結果とエンジン１０の作動状態とに基づいて、バルブユニット８（第１バルブ３０、第２バルブ３１及び第３バルブ３２）を第１実施形態と同様に制御する。
【００８８】
すなわち、ＥＣＵ９は、供給停止状態が好適であると判定した場合、エンジン１０の作動状態に拘わらず、第１バルブ３０と第２バルブ３１と第３バルブ３２とを基本状態に設定する。熱媒供給状態が好適であると判定した場合において、エンジン１０が作動しているときは、第１バルブ３０を高温側接続状態に設定し、第２バルブ３１及び第３バルブ３２を基本状態に設定する。熱媒供給状態が好適であると判定した場合において、エンジン１０が停止しているときは、第１バルブ３０と第２バルブ３１と第３バルブ３２とを基本状態に設定する。冷媒供給状態が好適であると判定した場合において、エンジン１０が作動しているときは、第１バルブ３０と第２バルブ３１と第３バルブ３２とを冷媒供給状態に設定する。冷媒供給状態が好適であると判定した場合において、エンジン１０が停止しているときは、第１バルブ３０を基本状態に設定し、第２バルブ３１と第３バルブ３２とを冷媒供給状態に設定する。
【００８９】
次に、ＥＣＵ９が実行するバルブ制御処理について、図７のフローチャートを参照して説明する。バルブ制御処理は、エンジン１０の作動状態に拘わらず、所定時間毎に常時繰り返して実行される。
【００９０】
本処理が開始されると、日射量が規定値（判定閾値）を超えているか否かを判定する（ステップＳ１１）。日射量が規定値以下である場合（ステップＳ１１：ＮＯ）、室温が下限値未満であるか否かを判定する（ステップＳ１２）。
【００９１】
室温が下限値以上である場合（ステップＳ１２：ＮＯ）、第１バルブ３０と第２バルブ３１と第３バルブ３２とを基本状態に設定し、全ての配管５，６，７に対する冷却水の供給を停止して（ステップＳ１３）、本処理を終了する。
【００９２】
室温が下限値未満である場合（ステップＳ１２：ＹＥＳ）、エンジン１０が作動しているか否かを判定する（ステップＳ１４）。エンジン１０が停止している場合には（ステップＳ１４：ＮＯ）、全ての配管５，６，７に対する冷却水の供給を停止して（ステップＳ１３）、本処理を終了する。エンジン１０が作動している場合には（ステップＳ１４：ＹＥＳ）、第１バルブ３０を高温側接続状態に設定し、且つ第２バルブ３１及び第３バルブ３２を基本状態に設定して、床２３とシート２４とに加熱された冷却水（熱媒）を供給し（ステップＳ１５）、本処理を終了する。
【００９３】
また、日射量が規定値を超えている場合（ステップＳ１１：ＹＥＳ）、室温が上限値を超えているか否かを判定する（ステップＳ１６）。
【００９４】
室温が上限値以下である場合（ステップＳ１６：ＮＯ）、全ての配管５，６，７に対する冷却水の供給を停止して（ステップＳ１３）、本処理を終了する。
【００９５】
室温が上限値を超えている場合（ステップＳ１６：ＹＥＳ）、エンジン１０が作動しているか否かを判定する（ステップＳ１７）。エンジン１０が停止している場合には（ステップＳ１７：ＮＯ）、第１バルブ３０を基本状態に設定し、第２バルブ３１と第３バルブ３２とを低温側接続状態に設定して、天井２５とダッシュパネル２６とに冷却された冷却水（冷媒）を供給し（ステップＳ１８）、本処理を終了する。エンジン１０が作動している場合には（ステップＳ１７：ＹＥＳ）、第１バルブ３０と第２バルブ３１と第３バルブ３２とを低温側接続状態に設定し、天井２５とダッシュパネル２６と床２３とシート２４とに冷却された冷却水（冷媒）を供給し（ステップＳ１９）、本処理を終了する。
【００９６】
例えば、外気温が低く日射量が規定値以下となる冬季に、車室３内の温度が下限値よりも低下した状態で運転者が車両１を始動すると（エンジン１０を作動すると）、日射量は規定値以下であり、室温は下限値よりも低下しているため、ＥＣＵ９の判定処理は、ステップＳ１１→Ｓ１２→Ｓ１４→Ｓ１５と移行する。これにより、床・シート配管５を熱媒が巡回し、床２３及びシート２４が熱媒によって温められる。なお、暖房効果によって室温が下限値以上となった場合や、エンジン１０を停止した場合には、全ての配管５，６，７に対する冷却水の供給が停止される（ステップＳ１３）。
【００９７】
一方、外気温が高く日射量が判定閾値を超える夏季に、車室３内の温度が上限値よりも上昇した状態で運転者が車両１を始動すると（エンジン１０を作動すると）、日射量は規定値を超えており、室温は上限値を超えているため、ＥＣＵ９の判定処理は、ステップＳ１１→Ｓ１６→Ｓ１７→Ｓ１９と移行する。これにより、床・シート配管５、天井配管６及びダッシュパネル配管７を冷媒が巡回し、床２３、シート２４、天井２５及びダッシュパネル２６が冷媒によって冷却される。
【００９８】
また、外気温が高く日射量が規定値を超える夏季の日中に、運転者が野外に車両１を駐車する場合（エンジン１０を停止して、空調装置による車室内への冷風の供給を停止する場合）において、外気温から受ける温度負荷によって車室３内の温度が上昇して室温が上限値を超えると、ＥＣＵ９の判定処理は、ステップＳ１１→Ｓ１６→Ｓ１７→Ｓ１８と移行する。これにより、天井配管６及びダッシュパネル配管７を冷媒が巡回し、天井２５及びダッシュパネル２６が冷媒によって冷却される。なお、冷房効果によって車室３内の温度が上限値以下となった場合には、全ての配管５，６，７に対する冷却水の供給が停止される（ステップＳ１３）。
【００９９】
本実施形態によれば、第１実施形態と同様に、車両１の乗員からの煩雑な入力操作を必要とすることなく、車室３内に配置された配管５，６，７を有効に活用して、車室３内の暖房と冷房とを行うことができる。また、車両１全体のエネルギ効率を向上させることができる。
【０１００】
なお、上記実施形態は本発明の一例であり、本発明を逸脱しない範囲において変更可能である。
【０１０１】
例えば、日射量に代えて、熱流束や外気温などの他の検出値を車外情報として取得してもよい。車外情報は、種類が異なる複数のセンサからの検出値（日射量と熱流束など）であってもよく、車内情報も、種類が異なる複数のセンサからの検出値（室温と熱流束など）であってもよい。車外情報と車内情報の一方に基づいて、車室内の温度環境にとって好適な状態を判定してもよい。
【０１０２】
各バルブ３０，３１，３２の開度を変更して設定可能とし、車室３内の温度環境に応じて各バルブ３０，３１，３２の開度を調節してもよい。各配管６，７，８に、それぞれ個別の電動ポンプを設け、車室３内の温度環境に応じて冷却水の巡回流量を調節してもよい。
【０１０３】
また、エンジン１０の冷却水に代えて、他の熱媒体を用いてもよい。
【産業上の利用可能性】
【０１０４】
本発明の冷暖房システムは、様々な車両に適用可能である。
【符号の説明】
【０１０５】
１：車両
２：キャブ
３：車室
４：循環路
５：床・シート配管（巡回管路）
５ａ：床・シート配管の中間部
５ｂ：床・シート配管の両端部
６：天井配管（第２の巡回管路）
６ａ：天井配管の中間部
６ｂ：天井配管の両端部
７：ダッシュパネル配管（第２の巡回管路）
７ａ：ダッシュパネル配管の中間部
７ｂ：ダッシュパネル配管の両端部
８：バルブユニット
９：ＥＣＵ
１０：エンジン
１１：ラジエータ（放熱器）
１２：ファン
１７：日射量センサ（検知手段、日射量検出手段）
１８：熱流束センサ（検知手段、熱流束検出手段）
１９：太陽電池
２０：高温側管路
２１：低温側管路
２２：電動ポンプ
２３：床（床パネル）
２５：天井（天井パネル）
２６：ダッシュパネル
３０：第１バルブ（流路切替手段）
３１：第２バルブ（第２の流路切替手段）
３２：第３バルブ（第２の流路切替手段）
３３：ＣＰＵ（判定手段、制御手段）
４０：温度センサ（検知手段、室温検出手段）
【図１】
0005641425.tif 000002
【図２】
0005641425.tif 000003
【図３】
0005641425.tif 000004
【図４】
0005641425.tif 000005
【図５】
0005641425.tif 000006
【図６】
0005641425.tif 000007
【図７】
0005641425.tif 000008